(57)【要約】【課題】第１のユーザにより選択された画像処理で用いられるハードウェア資源と、第１のユーザより後に認証された第２のユーザにより選択された画像処理で用いられるハードウェア資源と、が競合する場合に、第２のユーザが画像処理装置に画像処理を実行させられないようにする。【解決手段】認証されたユーザがいずれかの画像処理を選択した場合に、当該ユーザが当該画像処理の実行を指示するための「実行」指示ボタンがタッチ画面に表示される。但し、第１のユーザが認証された後に第２のユーザが認証された場合において、第１のユーザが選択した画像処理に用いられるハードウェアと第２のユーザが選択した画像処理に用いられるハードウェアとが一致する場合、制限部（３８）が、第２のユーザが画像処理の実行を指示するための「実行」指示ボタンの表示を制限する。【選択図】図４
2013089026.tif 000002
【特許請求の範囲】
【請求項１】
表示手段と、
ユーザを認証する認証手段と、
前記認証手段が第1のユーザを認証した場合に、画像処理の複数の候補のいずれかから前記認証された第１のユーザが選択した画像処理の機能を設定する第１の機能設定画面の情報を生成し前記表示手段に表示させる第１表示制御手段と、
前記認証手段が第1のユーザを認証した後に前記認証手段が第２のユーザを認証した場合に、画像処理の複数の候補のいずれかから前記認証された第２のユーザが選択した画像処理の機能を設定する第２の機能設定画面の情報を生成し前記表示手段に表示させる第２表示制御手段と、
前記認証手段が認証したユーザが選択した画像処理の実行を前記認証手段が認証したユーザが指示した場合に、前記認証手段が認証したユーザにより入力された画像処理の機能を実行するための制御情報に基づいて、前記認証手段が認証したユーザにより選択された画像処理を実行する実行手段と、
前記認証手段が第１のユーザを認証した後に前記認証手段が第２のユーザを認証した場合において、前記第１のユーザが選択した画像処理に用いられる１又は複数のハードウェア資源を示す情報により示されるいずれかのハードウェア資源と、前記第２のユーザが選択した画像処理に用いられる１又は複数のハードウェア資源を示す情報により示されるいずれかのハードウェア資源と、が競合する場合、前記第２のユーザにより選択された画像処理の実行を前記第２のユーザが指示することを制限する制限手段と、
を含む画像処理装置。
【請求項２】
前記制限手段は、
前記認証手段が第１のユーザを認証した後に前記認証手段が第２のユーザを認証した場合において、前記第１のユーザが選択した画像処理に用いられる１又は複数のハードウェア資源を示す情報により示されるいずれかのハードウェア資源と、前記第２のユーザが選択した画像処理に用いられる１又は複数のハードウェア資源を示す情報により示されるいずれかのハードウェア資源と、が競合する場合、前記第２のユーザが選択した画像処理の実行を前記第２のユーザが指示するための情報を第２の機能設定画面において前記第２表示制御手段が表示させることを制限すること、
を特徴とする請求項１に記載の画像処理装置。
【請求項３】
前記認証手段が前記第１のユーザを認証した後に前記認証手段が前記第２のユーザを認証した場合に、前記表示手段に表示する表示情報を、前記第１のユーザに対応する前記第１の機能設定画面と、前記第２のユーザに対応する第２の機能設定画面と、に分割した画面情報を生成する分割手段をさらに含むこと、
を特徴とする請求項１に記載の画像処理装置。
【請求項４】
表示手段、
ユーザを認証する認証手段、
前記認証手段が第1のユーザを認証した場合に、画像処理の複数の候補のいずれかから前記認証された第１のユーザが選択した画像処理の機能を設定する第１の機能設定画面の情報を生成し前記表示手段に表示させる第１表示制御手段、
前記認証手段が第1のユーザを認証した後に前記認証手段が第２のユーザを認証した場合に、画像処理の複数の候補のいずれかから前記認証された第２のユーザが選択した画像処理の機能を設定する第２の機能設定画面の情報を生成し前記表示手段に表示させる第２表示制御手段、
前記認証手段が認証したユーザが選択した画像処理の実行を前記認証手段が認証したユーザが指示した場合に、前記認証手段が認証したユーザにより入力された画像処理の機能を実行するための制御情報に基づいて、前記認証手段が認証したユーザにより選択された画像処理を実行する実行手段、
前記認証手段が第１のユーザを認証した後に前記認証手段が第２のユーザを認証した場合において、前記第１のユーザが選択した画像処理に用いられる１又は複数のハードウェア資源を示す情報により示されるいずれかのハードウェア資源と、前記第２のユーザが選択した画像処理に用いられる１又は複数のハードウェア資源を示す情報により示されるいずれかのハードウェア資源と、が競合する場合、前記第２のユーザにより選択された画像処理の実行を前記第２のユーザが指示することを制限する制限手段、
としてコンピュータを機能させるプログラム。
【発明の詳細な説明】
【技術分野】
【０００１】
本発明は、画像処理装置及びプログラムに関する。
【背景技術】
【０００２】
下記特許文献１には、機器が利用中であるか否かを携帯端末に通知すること、及び携帯端末で機器の使用の予約を行えるようにすること、が記載されている。
【先行技術文献】
【特許文献】
【０００３】
【特許文献１】特開２００４−１９３９２３号公報
【発明の概要】
【発明が解決しようとする課題】
【０００４】
本発明の目的は、同一の画像処理装置において第１のユーザより後に認証された第２のユーザであっても、画像処理装置に画像処理を実行させることができるようにしつつ、第１のユーザにより選択された画像処理で用いられるハードウェア資源と、第１のユーザより後に認証された第２のユーザにより選択された画像処理で用いられるハードウェア資源と、が競合する場合としない場合に、第２のユーザの画像処理装置における画像処理の実行の可否を適切に制御することである。
【課題を解決するための手段】
【０００５】
上記課題を解決するための請求項１の発明は、表示手段と、ユーザを認証する認証手段と、前記認証手段が第1のユーザを認証した場合に、画像処理の複数の候補のいずれかから前記認証された第１のユーザが選択した画像処理の機能を設定する第１の機能設定画面の情報を生成し前記表示手段に表示させる第１表示制御手段と、前記認証手段が第1のユーザを認証した後に前記認証手段が第２のユーザを認証した場合に、画像処理の複数の候補のいずれかから前記認証された第２のユーザが選択した画像処理の機能を設定する第２の機能設定画面の情報を生成し前記表示手段に表示させる第２表示制御手段と、前記認証手段が認証したユーザが選択した画像処理の実行を前記認証手段が認証したユーザが指示した場合に、前記認証手段が認証したユーザにより入力された画像処理の機能を実行するための制御情報に基づいて、前記認証手段が認証したユーザにより選択された画像処理を実行する実行手段と、前記認証手段が第１のユーザを認証した後に前記認証手段が第２のユーザを認証した場合において、前記第１のユーザが選択した画像処理に用いられる１又は複数のハードウェア資源を示す情報により示されるいずれかのハードウェア資源と、前記第２のユーザが選択した画像処理に用いられる１又は複数のハードウェア資源を示す情報により示されるいずれかのハードウェア資源と、が競合する場合、前記第２のユーザにより選択された画像処理の実行を前記第２のユーザが指示することを制限する制限手段と、を含む画像処理装置である。
【０００６】
また、請求項２の発明は、請求項１の発明において、前記制限手段は、前記認証手段が第１のユーザを認証した後に前記認証手段が第２のユーザを認証した場合において、前記第１のユーザが選択した画像処理に用いられる１又は複数のハードウェア資源を示す情報により示されるいずれかのハードウェア資源と、前記第２のユーザが選択した画像処理に用いられる１又は複数のハードウェア資源を示す情報により示されるいずれかのハードウェア資源と、が競合する場合、前記第２のユーザが選択した画像処理の実行を前記第２のユーザが指示するための情報を第２の機能設定画面において前記第２表示制御手段が表示させることを制限することを特徴とする。
【０００７】
また、請求項３の発明は、請求項１の発明において、前記認証手段が前記第１のユーザを認証した後に前記認証手段が前記第２のユーザを認証した場合に、前記表示手段に表示する表示情報を、前記第１のユーザに対応する前記第１の機能設定画面と、前記第２のユーザに対応する第２の機能設定画面と、に分割した画面情報を生成する分割手段をさらに含むこと、を特徴とする。
【０００８】
また、上記課題を解決するための請求項４の発明は、表示手段、ユーザを認証する認証手段、前記認証手段が第1のユーザを認証した場合に、画像処理の複数の候補のいずれかから前記認証された第１のユーザが選択した画像処理の機能を設定する第１の機能設定画面の情報を生成し前記表示手段に表示させる第１表示制御手段、前記認証手段が第1のユーザを認証した後に前記認証手段が第２のユーザを認証した場合に、画像処理の複数の候補のいずれかから前記認証された第２のユーザが選択した画像処理の機能を設定する第２の機能設定画面の情報を生成し前記表示手段に表示させる第２表示制御手段、前記認証手段が認証したユーザが選択した画像処理の実行を前記認証手段が認証したユーザが指示した場合に、前記認証手段が認証したユーザにより入力された画像処理の機能を実行するための制御情報に基づいて、前記認証手段が認証したユーザにより選択された画像処理を実行する実行手段と、前記認証手段が第１のユーザを認証した後に前記認証手段が第２のユーザを認証した場合において、前記第１のユーザが選択した画像処理に用いられる１又は複数のハードウェア資源を示す情報により示されるいずれかのハードウェア資源と、前記第２のユーザが選択した画像処理に用いられる１又は複数のハードウェア資源を示す情報により示されるいずれかのハードウェア資源と、が競合する場合、前記第２のユーザにより選択された画像処理の実行を前記第２のユーザが指示することを制限する制限手段、としてコンピュータを機能させるプログラムである。
【発明の効果】
【０００９】
請求項１及び４の発明によれば、第１のユーザより後に認証された第２のユーザであっても、画像処理装置に画像処理を設定させることができるようにしつつ、第１のユーザにより選択された画像処理で用いられるハードウェア資源と、第１のユーザより後に認証された第２のユーザにより選択された画像処理で用いられるハードウェア資源と、が競合する場合に、第２のユーザが画像処理装置に画像処理を実行させられないようにすることができる。
【００１０】
請求項２の発明によれば、第２のユーザが画像処理の実行を指示するための表示を制限することによって、第２のユーザが画像処理装置に画像処理の実行を制限するようにすることができる。
【００１１】
請求項３の発明によれば、第１のユーザにより用いられる機能設定画面と、第１のユーザより後に認証された第２のユーザにより用いられる機能設定画面と、の両方を一の画面に表示するようにしつつ、ユーザごとに、該ユーザにより用いられる機能設定画面を上記一の画面に表示することができる。
【図面の簡単な説明】
【００１２】
【図１】本発明の実施形態に係る画像処理装置の外観を例示する図である。
【図２】画像処理装置のハードウェア構成を例示する図である。
【図３】記憶部に保持されるデータを例示する図である。
【図４】画像処理装置２にて実現される機能群を示す機能ブロック図である。
【図５】記憶部に記憶されるレコードを例示する図である。
【図６Ａ】第１の利用者の機能選択画面を例示する図である。
【図６Ｂ】第1の利用者の機能設定画面を例示する図である。
【図６Ｃ】第1の利用者と第2の利用者が認証された状態の画面を例示する図である。
【図７】第１の利用者の機能選択画面を例示する図である。
【図８】実行機能制限テーブルを例示する図である。
【図９Ａ】第1の利用者と第2の利用者が認証された状態の画面の遷移を例示する図である。
【図９Ｂ】第1の利用者と第2の利用者が認証された状態の画面の遷移を例示する図である。
【図９Ｃ】第1の利用者と第2の利用者が認証された状態の画面の遷移を例示する図である。
【図９Ｄ】第1の利用者と第2の利用者が認証された状態の画面の遷移を例示する図である。
【発明を実施するための形態】
【００１３】
以下、本発明の実施形態の例について図面に基づき詳細に説明する。
【００１４】
［画像処理装置］
図１は、本発明の一実施形態に係る画像処理装置２の外観を例示する図である。また、図２は、画像処理装置２のハードウェア構成を例示する図である。
【００１５】
本実施形態の場合、画像処理装置２は、制御部４と、記憶部６と、タッチ画面８と、プリンタ１０と、スキャナ１２と、ファクシミリ１４と、ネットワークインタフェース１８と、給紙部２０と、排紙トレイ２２と、カードリーダ２４と、を含む複合機として実現される。
【００１６】
本実施形態の場合、画像処理装置２は、例えば大学の構内に設置され、該大学の学生に利用される。また、本実施形態の場合、各学生には、その学生を識別する情報である学籍番号を記録した非接触式ＩＣカード（以下、学生証と記載する）が支給されている。
【００１７】
制御部４は、例えばマイクロプロセッサであり、記憶部６に記憶されるプログラムに従い、画像処理や画像処理装置２の各部の制御を実行する。
【００１８】
また、記憶部６は、ＲＡＭ及びＲＯＭを含む。記憶部６には上記プログラム等の各種データが格納される。なお、上記プログラムは、ＤＶＤ（登録商標）−ＲＯＭ等のコンピュータ読取可能な情報記憶媒体から読み出されて記憶部６に格納されてもよいし、ネットワーク等の通信網から供給されて記憶部６に格納されてもよい。なお、記憶部６は、ワークメモリとしても動作する。
【００１９】
また、タッチ画面８は、学生が画像処理装置２を操作するために用いられ、学生が指示した位置を示す位置情報を制御部４に出力する。また、タッチ画面８は、制御部４から入力された情報を表示することも行う。
【００２０】
また、プリンタ１０は、画像処理装置２の内部に設けられ、制御部４の指示に従って給紙部２０（図１参照）に保持した用紙を搬送し用紙に画像を印刷する。さらに、印刷後の用紙を排紙トレイ２２（図１参照）へと搬送する。また、スキャナ１２は、自動紙送り装置(Auto Document Feeder)を備えたスキャナであり、制御部４の指示に従って、自動紙送り装置から搬送された原稿をスキャンし、スキャン結果を示す画像データを制御部４に出力する。
【００２１】
また、ファクシミリ送受信部１４は、画像処理装置２の内部に設けられ、図示していない電話回線に接続される。ファクシミリ送受信部１４は、制御部４の指示に従って、スキャナ１２によって得られた画像を示す電気信号を電話回線に送信したり、電話回線から受信した電気信号を画像データに変換して制御部４へ出力する処理を行う。
【００２２】
また、ネットワークインタフェース１８は、画像処理装置２と図示していないネットワークとを接続するためのインタフェースである。ネットワークインタフェース１８は、制御部４から入力される情報をネットワークに送信したり、ネットワークから送信される情報を受信したりする。
【００２３】
本実施形態の場合、画像処理装置２はネットワークを介して各学生が操作する情報端末（不図示）と通信可能に接続されている。
【００２４】
また、給紙部２０は、画像処理装置２に用紙を保持させるための部材である。また、排出トレイ２２は、プリンタ１０により画像が印刷された用紙の排出先となる部材である。
【００２５】
カードリーダ２４は、学生証の非接触式ＩＣカードに埋め込まれたＩＣチップに記憶された学籍番号の情報を読み取り、読み取った学籍番号を制御部４に出力する。後述するように、カードリーダ２４は、学生の認証に用いられる。
【００２６】
［画像処理装置の利用形態］
画像処理装置２の利用形態について説明する。この画像処理装置２では、初期状態ではタッチ画面８にはログインを要求する画面表示がなされており、学生が画像処理装置２にログインしなければ、その学生が画像処理装置２を利用できないようになっている。そのため、学生は、画像処理装置２を利用する場合、画像処理装置２にログインするために、まず、自身の学生証を画像処理装置２に近づけ、画像処理装置２（正確にはカードリーダ２４）に学籍番号を読み取らせる。この学籍番号に基づき認証処理が行われる。この学籍番号が適切な利用者であると認証されると、画像処理装置２にログインできる。
【００２７】
こうして画像処理装置２にログインした学生は、当該ログインした学生が画像処理装置を利用するための各種機能が表示されたタッチ画面８を用いて画像処理装置２を操作することにより、「印刷」機能、「スキャン」機能、「ＦＡＸ送信」機能、及び「コピー」機能のうちから選択した画像処理機能を、画像処理装置２に行わせることになる。
【００２８】
ところで、画像処理装置２にログインした一の学生だけに画像処理装置２が操作されるようにすると、当該一の学生以外の学生が画像処理装置２を利用できない。また、当該一の学生がログインした状態で、他の学生がログインしてタッチ画面８の操作及び画像処理装置２の各種機能を利用できるようにした「割り込み」処理を可能とする画像処理装置２が存在するが、他の学生が割り込み処理を実行した場合、先にログインしていた学生の処理状態が保留されて処理されないことになる。つまり、「割り込み」処理を備えた画像処理装置２においても、タッチ画面８を利用する学生は同時に1名に限られる。
【００２９】
この点、本実施形態の画像処理装置２では、画像処理装置２にログインしている一の学生の後に画像処理装置２にログインした他の学生に、タッチ画面８に先にログインした一の学生が操作するための領域と後にログインした他の学生が操作するための領域とを設けられ、先にログインした一の学生が操作している間にも、後にログインした他の学生が画像処理装置２を操作できるようになっている。
【００３０】
但し、先に画像処理装置２にログインした学生が選択した画像処理機能Ｘ、に用いられる画像処理装置２のハードウェアが、後に画像処理装置２にログインした他の学生が選択した画像処理機能Ｙにおいても用いられる場合、仮に画像処理機能Ｘと画像処理機能Ｙとが同時に行われると、何らかの不具合が発生することが想定される。
【００３１】
そこで、この画像処理装置２では、先に画像処理装置２にログインした学生が選択した画像処理機能に用いられるハードウェアと、後に画像処理装置２にログインした画像処理機能に用いられるハードウェアが競合した場合に、後に画像処理装置２にログインした学生が自身の選択した画像処理機能を画像処理装置２に行わせられないようになっている。
【００３２】
以下この点について説明する。
【００３３】
［データ］
図３は、記憶部６に保持されるデータを示す図である。このデータは、画像処理装置２が行いうる画像処理機能の複数の候補の各々と、当該画像処理機能において用いられる１又は複数のハードウェアを示すハードウェア情報と、を対応付けてなるデータである。本実施形態の場合、ハードウェア情報には、そのハードウェア情報に関連づけられた画像処理機能にスキャナ１２が用いられるか否かを示すフラグと、当該画像処理機能にプリンタ１０が用いられるか否かを示すフラグと、が含まれる。なお、ここでは、「画像処理機能の複数の候補」機能とは、「印刷」機能、「スキャン」機能、「ＦＡＸ送信」機能、及び「コピー」機能のことである。
【００３４】
本実施形態の場合、「スキャン」機能とは自動紙送り装置に設置された原稿をスキャンし、スキャン結果が表す画像を記憶部６に記憶する機能である。そのため、「スキャン」機能にはスキャナ１２が用いられる。
【００３５】
また、「ＦＡＸ送信」機能とは、自動紙送り装置に設置された原稿をスキャンし、スキャン結果が表す画像を示す電気信号をファクシミリ送受信部１４を介してＦＡＸ送信することである。そのため、「ＦＡＸ送信」機能にはスキャナ１２が用いられる。
【００３６】
また、「コピー」機能とは、自動紙送り装置に設置された原稿をスキャンし、スキャン結果が表す画像を用紙に印刷することである。そのため、「コピー」機能には、スキャナ１２、プリンタ１０が用いられる。
【００３７】
また、「印刷」機能とは、記憶部６に記憶される印刷データ（以下、「ジョブ」と記載する）に従って、画像を用紙に印刷することである。「印刷」機能には、プリンタ１０は用いられるが、スキャナ１２は用いられない。なお、本実施形態の場合、学生は、画像処理装置２を利用する前に、情報端末を用いて画像処理装置２にジョブを登録するようになっている。
【００３８】
［機能ブロック］
図４は、画像処理装置２にて実現される機能群を示す機能ブロック図である。同図に示すように、画像処理装置２では、認証部２６、分割部２８、第１表示制御部３０、第２表示制御部３２、実行部３６、及び制限部３８が実現される。これらの機能は、制御部４が上記プログラムに従って動作することによって実現される。
【００３９】
［認証部］
認証部２６は、学生を認証する。本実施形態の場合、認証部２６は、学生証の非接触式ＩＣカードに埋め込まれたＩＣチップに記憶された学籍番号の情報をカードリーダ２４が読み取り、カードリーダ２４が読み取った学籍番号が、記憶部６に予め記憶されている学籍番号のリストに含まれるか否かを判定する。
【００４０】
なお、本実施形態の場合、認証部２６は、学生を認証した場合、認証された学生に対応するレコードを生成し、記憶部６に格納する。この時点では、レコードには、認証された学生の学籍番号と、認証された学生の認証順序を示す番号と、が格納される。認証された学生がタッチ画面８を用いて画像処理機能を選択したら、選択された画像処理機能を示す情報がさらに格納される。図５に、記憶部６に記憶されるレコードを示した。この場合、先にログインした第1の学生の学籍番号は「０１２３」であり画像処理機能「印刷」を選択し、後にログインした第２の学生の学籍番号は「０２３４」であり画像処理機能「スキャン」を選択した状態を表している。
【００４１】
［分割部］
まず、一人目の利用者として第1の学生がログインしたときの画面は、図６Ａに示すように、タッチ画面８の略全面に第1の学生が操作するための操作画面が表示されている。タッチ画面８の上部には、メッセージ表示領域８１ａが設けられ、現在どの画面であるかの情報やどのログインユーザに対する画面であるかの情報が表示されている。この例では、機能を選択する画面である旨を表す「機能選択画面」とログインした第1の学生（学籍番号が０１２３）のための設定入力画面であることを表す「（ＵＳＥＲ：０１２３）」をメッセージが表示されている。その下部には、機能設定画面８２ａが表示されている。機能設定画面は、画像処理装置２にて実行可能な機能を選択するための画面であり、「印刷」機能選択ボタン４０ａ、「スキャン」機能選択ボタン４２ａ、「ＦＡＸ送信」機能選択ボタン４４ａ、「コピー」機能選択ボタン４６ａがそれぞれ表示されている。
【００４２】
分割部２８は、認証部２６が第１の学生を認証した後に認証部２６が第２の学生を認証した場合に、タッチ画面８を、第１の学生に対応する第１画面８ａと、第２の学生に対応する第２画面８ｂと、に分割して表示するよう制御する。本実施形態の場合、分割部２８は、認証部２６が学生を認証するごとに、認証した学生の認証順序が「２」であるか否かを判定する。そして、分割部２８は、認証した学生の認証順序が「２」である場合、タッチ画面８を、第１画面８ａと第２画面８ｂとに分割して表示する。図６Ｃに、第１画面８ａと第２画面８ｂに分割されて表示した画面の表示例を例示した。
【００４３】
［第１表示制御部］
第１表示制御部３０は、認証部２６が第1の学生を認証した場合に、初期操作画面として、認証された学生が画像処理機能の複数の候補のいずれかを選択するための機能選択画面の情報を生成し、タッチ画面８に表示させる。
【００４４】
本実施形態の場合、第1のユーザ（学籍番号が「０１２３」である学生）のための機能選択画面には、図６Ａに示すように、認証された学生が「印刷」機能を選択するための画像４０ａと、認証された学生が「スキャン」機能を選択するための画像４２ａと、認証された学生が「ＦＡＸ送信」機能を選択するための画像４４ａと、認証された学生が「コピー」機能を選択するための画像４６ａと、が含まれる。学生は、画像４０ａ内の領域を指示することにより「印刷」機能を選択し、画像４２ａ内の領域を指示することにより「スキャン」機能を選択し、画像４４ａ内の領域を指示することにより「ＦＡＸ送信」機能を選択し、画像４６ａ内の領域を指示することにより「コピー」機能のそれぞれが選択可能である
【００４５】
そして、第１表示制御部３０は、認証部２６が認証した学生が画像処理機能の複数の候補うちのいずれかを選択した場合に、当該学生が選択した画像処理機能を制御するための制御情報を当該学生が設定入力するための制御情報設定画面の情報を生成し、タッチ画面８に表示させる。
【００４６】
本実施形態の場合、タッチ画面８に表示された機能選択画面に設けられた「印刷」機能ボタン４０ａを当該学生が指示選択すると、タッチ画面８の表示画面が、図６Ｂに示すような「印刷」機能を制御するための制御情報設定画面に切り替えて表示される。「印刷」機能の制御情報を設定する画面に表示された項目として、「印刷ジョブ選択」と「カラーモード」と「用紙選択」があり、それぞれの制御情報の項目の値を設定入力するための制御情報設定画面が表示されている。学生は、この選択可能に表示された値のうち所望の値を示す文字列情報付近を指示することにより、制御情報の項目に対する値を選択し設定することができる。
【００４７】
図６Ｂに、「印刷」機能を制御するための制御情報の値を入力するための制御情報設定画面を例示した。同図に示すように、設定入力する制御情報の項目として、「印刷ジョブ選択」４００ａ、「カラーモード選択」４０２ａ、「用紙選択」４０４ａが表示されており、それぞれ「印刷ジョブ選択」の項目については「ジョブ１」が選択され、「カラーモード選択」の項目について、制御情報の値として「グレースケール」が選択されている状態を示している。また、制御情報の項目「用紙選択」については、制御情報の値として「Ａ４」が選択されている状態を示している。
【００４８】
「実行」指示ボタン画像５０ａの意義については後述する。
【００４９】
また、本実施形態の場合、「スキャン」機能、「ＦＡＸ送信」機能および「コピー」機能を制御するための制御情報を設定入力するための各機能に対応した制御情報設定画面を備えており、機能選択画面において画像処理機能が選択指示されると、先に示した印刷機能を選択した場合と同様に、選択された画像処理機能に対応する制御情報設定画面に切替え表示する。
【００５０】
次に、第１の学生がログインした状態で第２の学生がログインした際のタッチ画面８の表示制御について説明する。第１の学生が画像処理装置２にログインし、タッチ画面８の略全面に表示された第１の学生のための操作画面が表示されている状態で、後から第２の学生が画像処理装置２のカードリーダ２４に学生証を近づけて第２の学生の学籍番号を読み取らせることにより認証され、第２の学生が認証された場合、記憶部６のレコードに第２の学生の学籍番号「０２３４」と認証順序「２」が追加される。
【００５１】
第２表示制御部３２は、後からログインした学生のための操作画面を生成するよう制御する。すなわち、第２表示制御部３２は、第１表示制御部と同様に、初期画面として、画像処理機能の複数の候補のいずれかを選択するための機能選択画面を表示させる。第２の学生のための機能選択画面は、図７に示すように、画面の上部のメッセージ表示領域８１ｂには、機能を選択する画面である旨を表す「機能選択画面」とログインした第２の学生（学籍番号が０２３４）のための設定入力画面であることを示す「（ＵＳＥＲ：０２３４）」を表すメッセージを表示する情報を生成する。その下部には、機能設定画面８２ｂが表示されている。機能設定画面８２ｂは、画像処理装置２にて実行可能な機能を選択するための画面であり、「印刷」機能選択ボタン４０ｂ、「スキャン」機能選択ボタン４２ｂ、「ＦＡＸ送信」機能選択ボタン４４ｂ、「コピー」機能選択ボタン４４ｂをそれぞれ表示する情報を生成する。
【００５２】
分割部２８は、記憶部６のレコードを参照し、第２の学生がログインしたことを検知すると、タッチ画面８の表示領域を分割し、第１表示制御部３０が生成した表示情報を分割した一の領域に表示させ、第２表示制御部３２が生成した表示情報を分割した他の領域に表示させるよう制御する。本実施形態の場合、図６Ｂに示すように略全面に表示されていた第１の学生のための操作画面を、図６Ｃに示すようにタッチ画面８を分割した領域のうち左側の領域に第１の学生の操作画面８ａを縮小して表示させ、後からログインした第２の学生のための操作画面８ｂを、タッチ画面８を分割した領域のうち右側の領域に表示させる。
【００５３】
［制限部］
制限部３８は、認証部２６が第１の学生を認証した後に認証部２６が第２の学生を認証した場合において、第１の学生が選択した画像処理機能に関連づけられたハードウェア情報（図３参照）により示されるいずれかのハードウェアと、第２の学生が選択した画像処理機能に関連づけられたハードウェア情報により示されるいずれかのハードウェアと、が競合する場合、第２の学生が選択した画像処理機能の実行を第２の学生が指示することを制限する。
【００５４】
図８に示す機能競合判定テーブルは、第1の学生が選択した機能と第２の学生が選択した機能との関係における、第２の学生が実行可能であるか不可であるかの関係を定義した実行機能制限テーブルである。第１の学生が「印刷」機能を選択し制御情報の設定入力を行っている状態、または「印刷」機能の「実行」の指示を行い画像形成装置２で「印刷」機能が実行中である状態においては、画像形成装置２のハードウェアであるプリンタ１０が稼働中であり、ハードウェア情報に示されるようにプリンタを使用する機能である「印刷」機能と「コピー」機能はハードウェアが競合するため、第２の学生は、「印刷」機能と「コピー」機能は実行指示ができないように制限される。但し、第２の学生は、ハードウェアが競合しない「スキャン」機能と「ＦＡＸ送信」機能は実行指示が可能である。図８の機能競合判定テーブルには、第1の学生が「印刷」機能を選択したときに、第２の学生は「印刷」機能及び「コピー」機能には実行不可であることを示す「×」、「スキャン」機能及び「ＦＡＸ送信」機能には実行可能であることを示す「○」が定義されている。また、第１の学生がその他の「スキャン」機能、「ＦＡＸ送信」機能、「コピー」機能のそれぞれの機能を選択した場合の第２の学生が実行可能な機能、実行不可である機能の関係が示されている。
【００５５】
制限部３８は、この図８の機能競合判定テーブルを参照して、第１の学生が選択した機能の種類に基づいて、第２の学生が選択した機能が実行可能であるかまたは実行不可能でであるかを判定する。以下に、第１の学生が画像処理装置にログインした状態で続けて第２の学生が当該画像処理装置にログインして各種画像処理機能の設定を行う場合の画面表示制御について説明する。
【００５６】
第1の学生が画像処理装置にログインし、「印刷」機能を選択し、「印刷」機能の設定画面で設定を行うとともに、第２の学生が画像処理装置にログインし「スキャン」機能を選択し、「スキャン」機能の設定を行っている状態の画面表示例を図９Ａに示す。
【００５７】
この場合、制限部３８は、第1の学生が選択した画像処理機能である「印刷」機能と第２の学生が選択した画像処理機能である「スキャン」機能とのそれぞれに関連づけられたハードウェア情報が競合するかを図８に示す機能競合判定テーブルを参照して判断する。この場合はそれぞれの機能が競合しないため、第1の学生が選択した「印刷」機能の実行が可能であるとともに、第２の学生が選択した「スキャン」機能の実行も可能であると判断する。この判断結果に基づき、第１表示制御部３０は、第1の学生の「印刷」機能を設定する画面に、「印刷」機能の実行の指示を可能とすることを示す「実行」指示ボタン５０ａの表示情報を生成して表示させる。第２表示制御部３２も同様に、第２の学生の「スキャン」機能を設定する画面に、「スキャン」機能の実行の指示を可能とすることを示す「実行」指示ボタン５０ｂの表示情報を生成して表示させる。
【００５８】
次に、第1の学生が選択した機能と第２の学生が選択した機能が競合する場合について説明する。
【００５９】
第1の学生が画像処理装置にログインし、「印刷」機能を選択し、「印刷」機能の設定画面で設定を行うとともに、第２の学生が画像処理装置にログインし「コピー」機能を選択し、「コピー」機能の設定を行っている状態の画面表示例を図９Ｂに示す。
【００６０】
この場合、制限部３８は、第1の学生が選択した画像処理機能である「印刷」機能と第２の学生が選択した画像処理機能である「コピー」機能とのそれぞれに関連づけられたハードウェア情報が競合するかを図８に示す機能競合判定テーブルを参照して判断する。この場合はそれぞれの機能が競合するため、第1の学生が選択した「印刷」機能の実行が可能であるが、第２の学生が選択した「スキャン」機能は実行不可能であると判断する。この判断結果に基づき、第１表示制御部３０は、第1の学生の「印刷」機能を設定する画面に、「印刷」機能の実行の指示を可能とすることを示す「実行」指示ボタン５０ａの表示情報を生成して表示させる。第２表示制御部３２は、第２の学生の「コピー」機能を設定する画面に、「コピー」機能の実行の指示は不可とすることを示すために、「実行」指示ボタン５０ｂを灰色や淡い色で表示させるいわゆるグレイアウト表示させる表示情報を生成して表示させる。
【００６１】
図９Ｂにおいて、選択された画像処理機能の実行が不可であることを示す「実行」指示ボタンをグレイアウト表示させる例を示したが、「実行」ボタンそのものを非表示とするように制御するようにしてもよい。
【００６２】
図９Ｂに示す状態で、第１の学生が「実行」指示ボタン５０ａを選択指示することにより、実行部３６は、第1の学生のための「印刷」機能設定画面においてカラーモードや用紙に関して設定した制御情報に基づき、第1の学生により指示選択された「ジョブ１」の印刷処理を実行する。
【００６３】
印刷処理の実行中の表示画面例を図９Ｃに示す。第１表示制御部３０は、第1の学生のための機能設定画面８２ａを印刷機能の実行中を示す画面表示に切り替えて表示する。図９Ｃに示すように、「ジョブ１を印刷しています。３ページ目／１０ページ」という印刷処理の実行状況を表すメッセージが表示されている。このとき、第２の学生のための機能設定画面８２ｂの「実行」指示ボタン５０ｂの表示は、実行指示が不可であることを示す表示形態のままである。
【００６４】
印刷処理が完了すると、図９Ｄに示すように、第１の表示制御部３０は、第１の学生のための画面８２を、印刷処理が完了したことを示すメッセージを表示させる。第１の学生が選択した機能である「印刷」機能が完了したことにより、ハードウェアとしてのプリンタ１０が処理待ち状態となるため、第２の学生が選択した「コピー」機能との競合が解消され、第２の表示制御部３２は、第２の学生のための機能設定画面８２ｂの「実行」ボタン５０ｂを、実行指示が可能となることを示す表示形態に切り替える。
【００６５】
この後、第１の表示制御部３０は、所定の時間、「印刷」処理が完了したことを示す表示を持続し、所定の時間が経過すると、第１の学生のための表示画面を消去する。認証部２６は、第１の学生の認証状態を解除するとともに、第２の学生の認証順位を「２」から「１」に変更する。また、分割部２８は、第１の学生の認証が解除され、第２の学生の認証順位が「２」から「１」に変更されたことに基づき、第２の表示制御部３２が生成する機能設定画面情報を、タッチ画面８の略全面に表示させるよう制御する。
【００６６】
なお、本発明の実施形態は上記実施形態だけに限らない。
【００６７】
例えば、第１表示制御部３０が、認証された学生が画像処理を選択するための図６Ａに示す画面を、当該学生の携帯情報端末に表示させるようにしてもよい。同様に、第２表示制御部３２が、認証された学生が制御情報を入力するための図７に示す画面を、当該学生の携帯情報端末に表示させるようにしてもよい。また、第１表示制御部３０（又は第２表示制御部３２）が、認証された学生が画像処理の実行を指示するための上記「実行」指示ボタンを、当該学生の携帯情報端末に表示させるようにしてもよい。
【符号の説明】
【００６８】
２  画像処理装置、４  制御部、６  記憶部、８  タッチ画面、８ａ  第１画面、８ｂ  第２画面、１０  プリンタ、１２  スキャナ、１４  ファクシミリ、１８  ネットワークインタフェース、２０  給紙部、２２  排紙トレイ、２４  カードリーダ、２６  認証部、２８  分割部、３０  第１表示制御部、３２  第２表示制御部、３６  実行部、３８  制限部、４０ａ，４０ｂ  印刷機能選択ボタン、４２ａ，４２ｂ  スキャン機能選択ボタン、４４ａ，４４ｂ  ＦＡＸ送信機能選択ボタン、４６ａ，４６ｂ  コピー機能選択ボタン、５０ａ，５０ｂ  実行指示ボタン、８１ａ，８１ｂ  メッセージ表示領域、８２ａ，８２ｂ  機能設定画面。
【図１】
2013089026.tif 000003
【図２】
2013089026.tif 000004
【図３】
2013089026.tif 000005
【図４】
2013089026.tif 000006
【図５】
2013089026.tif 000007
【図６Ａ】
2013089026.tif 000008
【図６Ｂ】
2013089026.tif 000009
【図６Ｃ】
2013089026.tif 000010
【図７】
2013089026.tif 000011
【図８】
2013089026.tif 000012
【図９Ａ】
2013089026.tif 000013
【図９Ｂ】
2013089026.tif 000014
【図９Ｃ】
2013089026.tif 000015
【図９Ｄ】
2013089026.tif 000016